【手続補正書】
【提出日】平成17年12月2日(2005.12.2)
【手続補正１】
【補正対象書類名】明細書
【補正対象項目名】発明の名称
【補正方法】変更
【補正の内容】
【発明の名称】インクジェットプリント装置およびその方法
【手続補正２】
【補正対象書類名】明細書
【補正対象項目名】特許請求の範囲
【補正方法】変更
【補正の内容】
【特許請求の範囲】
【請求項１】  自己分散型顔料および染料を含有するインクと、前記インク中の自己分散型顔料および染料を不溶化または凝集させる処理液とをプリント媒体に付与してプリントを行うインクジェットプリント装置であって、
プリント媒体に前記インクを付与し、その後、当該インクが付与されたプリント媒体の領域に前記処理液を付与することを特徴とするインクジェットプリント装置。
【請求項２】  自己分散型顔料および染料を含有するインクと、前記インク中の自己分散型顔料および染料を不溶化または凝集させる処理液とをプリント媒体に付与してプリントを行うインクジェットプリント装置であって、
プリント媒体に前記インクを付与し、その後、当該インクが付与されたプリント媒体の領域に前記処理液を付与し、その後、当該処理液が付与されたプリント媒体の領域に前記インクを付与することを特徴とするインクジェットプリント装置。
【請求項３】  色剤を含有する第１インクと、色剤を含有する第２インクと、これら第１および第２インク中の色剤を不溶化または凝集させる処理液とをプリント媒体に付与してプリントを行うインクジェットプリント装置であって
プリント媒体に前記第１インクを付与した後、この第１インクが付与されたプリント媒体の領域に前記処理液を付与し、さらに前記処理液が付与されたプリント媒体の領域に前記第２インクを付与する手段を具え、
前記第１および第２インクのうちの一方が色剤として自己分散型顔料および染料を含み、他方が色剤として顔料または染料を含むことを特徴とするインクジェットプリント装置。
【請求項４】  前記自己分散型顔料は、少なくとも１種のアニオン性基が直接または他の原子団を介して当該顔料表面に結合された顔料であることを特徴とする請求項１から請求項３の何れかに記載のインクジェットプリント装置。
【請求項５】  前記アニオン性基が、下記に示すアニオン性基の中から選択される少なくとも１種であることを特徴とする請求項４に記載のインクジェットプリント装置。
−ＣＯＯＭ，−ＳＯ3Ｍ，−ＰＯ3ＨＭ，−ＰＯ3Ｍ2，−ＳＯ2ＮＨ2，−ＳＯ2ＮＨＣＯＲ
ここで、Ｍは水素原子か、アルカリ金属か、アンモニウムか、あるいは有機アンモニウムを表わす。Ｒは炭素数１〜１２のアルキル基か、置換基を有してもよいフェニル基か、あるいは置換基を有してもよいナフチル基を表わす。
【請求項６】  前記原子団は、炭素数１〜１２のアルキル基か、置換基を有してもよいフェニル基か、あるいは置換基を有してもよいナフチル基であることを特徴とする請求項４または請求項５に記載のインクジェットプリント装置。
【請求項７】  前記自己分散型顔料の粒子の８０％以上が粒径０.０５〜０.３μmであることを特徴とする請求項４から請求項６の何れかに記載のインクジェットプリント装置。
【請求項８】  前記自己分散型顔料の粒子の８０％以上が粒径０.１〜０.２５μmであることを特徴とする請求項４から請求項６の何れかに記載のインクジェットプリント装置。
【請求項９】  前記処理液は、その浸透速度が、ブリストウ法によるＫａ値で５.０（ml/m2・msec1/2）以上であることを特徴とする請求項１から請求項８の何れかに記載のインクジェットプリント装置。
【請求項１０】  前記混合インクは、浸透速度がブリストウ法によるＫａの値で１.０（ml/m2・msec1/2）未満であることを特徴とする請求項１から請求項９の何れかに記載のインクジェットプリント装置。
【請求項１１】  前記インクは、ブラックインクであることを特徴とする請求項１から請求項１０の何れかに記載のインクジェットプリント装置。
【請求項１２】  前記自己分散型顔料および染料を含有するブラックインクの他に、シアンインク，マゼンタインク，イエローインクを付与可能であることを特徴とする請求項１１に記載のインクジェットプリント装置。
【請求項１３】  自己分散型顔料および染料を含有したインクをプリント媒体に付与するステップと、
プリント媒体に付与されたインクと接触するように、前記インク中の自己分散型顔料および染料を不溶化あるいは凝集させる処理液をプリント媒体に付与するステップと
を具えたことを特徴とするプリント方法。
【請求項１４】  自己分散型顔料および染料を含有するインクと、前記インク中の自己分散型顔料および染料を不溶化または凝集させる処理液とをプリント媒体に付与してプリントを行うプリント方法において、
プリント媒体に前記インクを付与した後、当該インクが付与されたプリント媒体の領域に前記処理液を付与し、その後、当該処理液が付与されたプリント媒体の領域に前記インクを付与することを特徴とするプリント方法。
【請求項１５】  色剤を含有する第１インクと、色剤を含有する第２インクと、これら第１および第２インク中の色剤を不溶化または凝集させる処理液とをプリント媒体に付与してプリントを行うプリント方法であって
前記第１インクをプリント媒体に付与するステップと、
前記第１インクが付与されたプリント媒体の領域に前記処理液を付与するステップと、
前記処理液が付与されたプリント媒体の領域に前記第２インクを付与するステップと
を具え、前記第１および第２インクのうちの一方が色剤として自己分散型顔料および染料を含み、他方が色剤として顔料または染料を含むことを特徴とするプリント方法。
【手続補正３】
【補正対象書類名】明細書
【補正対象項目名】０００１
【補正方法】変更
【補正の内容】
【０００１】
【発明の属する技術分野】
本発明は、インクジェットプリント装置およびプリント方法に関し、詳しくはインクおよびこのインク中の色剤を不溶化させる液体（以下、処理液と呼称する）を用いてプリント用紙，ＯＨＰ用紙等のプリント媒体に文字，画像等のプリントを行うインクジェットプリント装置およびプリント方法に関する。
【手続補正４】
【補正対象書類名】明細書
【補正対象項目名】００２２
【補正方法】変更
【補正の内容】
【００２２】
【課題を解決するための手段】
本発明の第１の形態は、自己分散型顔料および染料を含有するインクと、前記インク中の自己分散型顔料および染料を不溶化または凝集させる処理液とをプリント媒体に付与してプリントを行うインクジェットプリント装置であって、プリント媒体に前記インクを付与し、その後、当該インクが付与されたプリント媒体の領域に前記処理液を付与することを特徴とする。
【手続補正５】
【補正対象書類名】明細書
【補正対象項目名】００２３
【補正方法】変更
【補正の内容】
【００２３】
本発明の第２の形態は、自己分散型顔料および染料を含有するインクと、前記インク中の自己分散型顔料および染料を不溶化または凝集させる処理液とをプリント媒体に付与してプリントを行うインクジェットプリント装置であって、プリント媒体に前記インクを付与し、その後、当該インクが付与されたプリント媒体の領域に前記処理液を付与し、その後、当該処理液が付与されたプリント媒体の領域に前記インクを付与することを特徴とする。
【手続補正６】
【補正対象書類名】明細書
【補正対象項目名】００２４
【補正方法】変更
【補正の内容】
【００２４】
本発明の第３の形態は、色剤を含有する第１インクと、色剤を含有する第２インクと、これら第１および第２インク中の色剤を不溶化または凝集させる処理液とをプリント媒体に付与してプリントを行うインクジェットプリント装置であってプリント媒体に前記第１インクを付与した後、この第１インクが付与されたプリント媒体の領域に前記処理液を付与し、さらに前記処理液が付与されたプリント媒体の領域に前記第２インクを付与する手段を具え、前記第１および第２インクのうちの一方が色剤として自己分散型顔料および染料を含み、他方が色剤として顔料または染料を含むことを特徴とする。
【手続補正７】
【補正対象書類名】明細書
【補正対象項目名】００２５
【補正方法】変更
【補正の内容】
【００２５】
本発明の第４の形態は、自己分散型顔料および染料を含有したインクをプリント媒体に付与するステップと、プリント媒体に付与されたインクと接触するように、前記インク中の自己分散型顔料および染料を不溶化あるいは凝集させる処理液をプリント媒体に付与するステップとを具えたことを特徴とするプリント方法にある。
【手続補正８】
【補正対象書類名】明細書
【補正対象項目名】００２６
【補正方法】変更
【補正の内容】
【００２６】
本発明の第５の形態は、自己分散型顔料および染料を含有するインクと、前記インク中の自己分散型顔料および染料を不溶化または凝集させる処理液とをプリント媒体に付与してプリントを行うプリント方法において、プリント媒体に前記インクを付与した後、当該インクが付与されたプリント媒体の領域に前記処理液を付与し、その後、当該処理液が付与されたプリント媒体の領域に前記インクを付与することを特徴とする。
【手続補正９】
【補正対象書類名】明細書
【補正対象項目名】００２７
【補正方法】変更
【補正の内容】
【００２７】
本発明の第６の形態は、色剤を含有する第１インクと、色剤を含有する第２インクと、これら第１および第２インク中の色剤を不溶化または凝集させる処理液とをプリント媒体に付与してプリントを行うプリント方法であって前記第１インクをプリント媒体に付与するステップと、前記第１インクが付与されたプリント媒体の領域に前記処理液を付与するステップと、前記処理液が付与されたプリント媒体の領域に前記第２インクを付与するステップとを具え、前記第１および第２インクのうちの一方が色剤として自己分散型顔料および染料を含み、他方が色剤として顔料または染料を含むことを特徴とする。
本発明によると、プリント媒体上で混合インクと処理液が混合されるので、顔料インクと処理液のみを用いてプリントする場合に生じる「ひび割れ」や「しみ出し」等が同時に混合する染料の存在によってその発生が緩和される。逆に、染料と処理液のみを用いてプリントする場合に生じるＯＤ値の低下や「あふれ」の問題は、同時に混合する顔料の存在によって補われ、またはその発生が緩和される。